(57)【特許請求の範囲】
【請求項１】
汚泥を載せて走行する下ろ布の上方に洗浄器と転換ローラを設け、走行する上ろ布を前記洗浄器により洗浄して前記転換ローラに導き、該転換ローラにより前記上ろ布の走行方向を転換して前記下ろ布と同方向に並行走行させ、該下ろ布上の汚泥を下ろ布と上ろ布との間で挟圧して脱水するベルトプレス型脱水機において、
前記上ろ布の上面に摺接し、該上ろ布の幅方向中間部から両側部に向かって上ろ布走行方向前方側に傾斜する水切り部材を、前記洗浄器のろ布出口側前方に設けたことを特徴とするベルトプレス型脱水機のろ布水切り装置。
【請求項２】
前記水切り部材が、前記洗浄器のろ布出口側に開口する長穴が形成されたパイプである請求項１に記載のベルトプレス型脱水機のろ布水切り装置。
【請求項３】
前記水切り部材の両側方に該水切り部材により導かれる洗浄水を受け止めて排出する樋部材を設けた請求項１または請求項２に記載のベルトプレス型脱水機のろ布水切り装置。
【発明の詳細な説明】
【０００１】
【発明の属する技術分野】
この発明は、下水処理施設において汚泥の脱水等に用いるベルトプレス型脱水機のろ布水切り装置、詳しくは、上ろ布の洗浄に用いた洗浄水が下ろ布上の汚泥に流れ込むことを防止するろ布水切り装置に関する。
【０００２】
【従来の技術】
下水処理施設においては、一般に、スラッジ等の汚泥を濃縮し、この濃縮した汚泥をベルトプレス型脱水機等を用いて脱水し、この後に乾燥や焼却等の処理を行っている。そして、上述した濃縮汚泥の脱水にはベルトプレス型脱水機等が用いられ、従来、この種のベルトプレス型脱水機として図４に示すようなものが知られている。
【０００３】
図４において、１０は下ろ布、２０は下ろ布１０の上方に設けられた上ろ布を示す。下ろ布１０は、ローラ１１上に支持され、上面に濃縮汚泥Ｃを載せて走行する（走行方向Ｔｌ）。上ろ布２０は、フレーム３０に回転自在に支持されたローラ２１に掛装されて走行する。この上ろ布２０は、ローラ２１より上側（以下、上側部分２０ａと称する）で下ろ布１０と逆方向Ｔｕに、ローラ２１より下側（以下、下側部分２０ｂと称する）で下ろ布１０と同方向Ｔｌに走行する。これら下ろ布１０と上ろ布２０の下側部分２０ｂは、走行方向Ｔｌに離間して上下に対向配置された複数対の挟圧ローラ３１により挟まれて互いに接近し、下ろ布２０上の濃縮汚泥Ｃを挟圧して脱水する。
【０００４】
また、フレーム３０には、洗浄器４０と点検架台５０が上ろ布２０の上側部分２０ａの走行方向Ｔｕに沿って設けられる。洗浄器４０は、フレーム３０に固設されたケーシング４１に上ろ布２０のろ布入口４２とろ布出口４３を対向して形成するとともに、ケーシング４１内にスプレーノズル４４と水切りロール４５を配設して構成される。ろ布入口４２の上下縁部にそれぞれリップ状のゴム板４２ａが、ろ布出口４３の上下縁部に水切り用のゴム板４３ａが取り付けられ、また、水切りロール４５がゴム板４３ａに近接して配設される。ゴム板４２ａはそれぞれ上ろ布２０の上下面と摺接し、また、ゴム板４３ａと水切りロール４５が上ろ布２０を挟圧して後述する洗浄水の漏洩を防止する。
【０００５】
スプレーノズル４４は、ケーシング４１内の上部に水切りロール４５よりも走行方向Ｔｕ後方側に配置される。このスプレーノズル４４は、洗浄水供給パイプ４６と接続され、洗浄水を上ろ布２０の上面に噴射して上ろ布２０を洗浄する。点検架台５０はフレーム３０に洗浄器４０の近傍位置で設けられ、この点検架台５０上に立って作業員が洗浄器４０等を監視する。
【０００６】
この従来のベルトプレス型脱水機は、濃縮汚泥Ｃを下ろ布１０上に載せて搬送し、また、上ろ布２０を循環走行させ、下ろ布１０が上ろ布２０と係合するまでの走行区間（重力脱水ゾーンＧ）において下ろ布１０上で濃縮汚泥Ｃの重力脱水を行い、この濃縮汚泥Ｃを下ろ布１０と上ろ布２０との間で挟圧して脱水する。そして、洗浄器４０において上ろ布２０の上面に洗浄水を吹き付けて洗浄し、この洗浄水の漏れをゴム板４３ａと水切りロール４５により防止する。
【０００７】
【発明が解決しようとする課題】
上述した従来のベルトプレス型脱水機においては、上ろ布２０と摺接するろ布出口４２のゴム板４３ａが磨耗しやすく、図４中矢印に示すように、このゴム板４３ａの磨耗により洗浄水が漏洩して上ろ布２０上を経て重力脱水ゾーンＧ上の濃縮汚泥に流れ込むという問題があった。この結果、脱水効果が減殺されるのみならず、脱水後に汚泥Ｃの剥離性の低下等が生じて汚泥Ｃをろ布１０，２０から確実に除去できないという問題を生じていた。
この発明は、上記問題に鑑みてなされたもので、洗浄水が濃縮汚泥上に流れ込むことを防止できるベルトプレス型脱水機の水切り装置を提供することを目的とする。
【０００８】
【課題を解決するための手段】
上記目的を達成するため、この発明にかかるベルトプレス型脱水機の水切り装置は、汚泥を載せて走行する下ろ布の上方に洗浄器と転換ローラを設け、走行する上ろ布を前記洗浄器により洗浄して前記転換ローラに導き、該転換ローラにより前記上ろ布の走行方向を転換して前記下ろ布と同方向に並行走行させ、該下ろ布上の汚泥を下ろ布と上ろ布との間で挟圧して脱水するベルトプレス型脱水機において、
前記上ろ布の上面に摺接し、該上ろ布の幅方向中間部から両側部に向かって上ろ布走行方向前方側に傾斜する水切り部材を、前記洗浄器よりも走行方向前方側位置に設けた。
【０００９】
そして、この発明にかかるベルトプレス型脱水機の水切り装置は、前記水切り部材として前記上ろ布の走行方向後方側に開口する長穴が形成されたパイプを用いる態様（請求項２）に、
また、前記水切り部材の両側方に該水切り部材により前記上ろ布上から導かれる洗浄水を受け止めて排出する樋部材を設ける態様（請求項３）に構成することができる。
【００１０】
【作用】
この発明にかかるベルトプレス型脱水機の水切り装置は、上ろ布を洗浄器により洗浄した際に、洗浄水がケーシングのろ布出口のゴム板が磨耗等していると、洗浄水が上ろ布上に漏洩するが、この上ろ布上に漏洩した洗浄水は水切り部材により堰止められて上ろ布上から排出される。このため、洗浄水が上ろ布を経て下ろ布上の濃縮汚泥上に流れ込むことがなく、高い脱水効果を得られ、また、脱水後の汚泥の剥離性が低下することもない。
【００１１】
【実施の形態】
以下、この発明の実施の形態を図面を参照して説明する。
図１から図３はこの発明の一の実施の形態にかかるベルトプレス型脱水機の水切り装置を示し、図１が正面図、図２が図１の一部拡大図、図３が一部の平面図である。
なお、前述した図４に示したベルトプレス型脱水機と同一の部分には同一の番号を付して説明を割愛する。
【００１２】
図１から図３に示すように、フレーム３０には、洗浄器４０のろ布出口４３に近接してパイプ（水切り部材）９１が上ろ布２０の上面と摺動可能に設けられ、また、パイプ９１の両側にそれぞれ受け皿９９が設けられる。パイプ９１は、洗浄器４０側に凸の略く字形状に屈曲して上ろ布２０の上面と摺接し、その両端部が上ろ布０の両側方に延出する。このパイプ９１には、洗浄器４０側に複数の長穴９１ａが長手方向に所定間隔を隔て形成され、その両端部が受け皿９９上に開口する。
【００１３】
受け皿９９は、図２に示すように、上部が開口し、下部にドレンホース９８が接続する。この受け皿９９は、上記パイプ９１の端部から流れ出る水を受け止め、ドレンホース９８に排出する。ドレンホース９８は、図示しないドレンパンに連絡され、受け皿９９に流れ込む洗浄水をドレンパンに導く。
【００１４】
この実施の形態にあっては、前述したように、下ろ布１０が濃縮汚泥Ｃを上面に載せて走行し、また、上ろ布２０が循環走行して洗浄器４０により洗浄される。そして、濃縮汚泥Ｃは、重力脱水ゾーンＧにおいて重力で脱水され、この後に、洗浄された上ろ布２０と下ろ布１０との間で挟圧され脱水される。
【００１５】
すなわち、上ろ布２０は、洗浄器４０において表面にスプレーノズル４４から洗浄水が吹き付けられて洗浄され、洗浄後に下ろ布１０との間で濃縮汚泥Ｃを挟圧する。ここで、洗浄器４０においてはろ布出口４３のゴム板４３ａが磨耗していた場合等に洗浄水がゴム板４３ａと上ろ布２０表面との間から漏洩し、この漏洩した洗浄水が上ろ布２０表面に流れ出る。
【００１６】
しかしながら、この実施の形態においては、上ろ布２０上には長穴９１ａを形成されたパイプ９１が設けられ、図３中に矢印で示すように、上ろ布２０の表面に流れ出た洗浄水は一部がパイプ９１の長穴９１ａ内に流れ込みパイプ９１を経て受け皿９９に導かれ、また、残部がパイプ９１に沿って流れ受け皿９９に導かれる。すなわち、洗浄器４０から漏洩した洗浄水はパイプ９１を経て受け皿９９に、この受け皿９９からドレンホース９８を経てドレンパンへ排出される。このため、洗浄器４０から漏洩した洗浄水が下ろ布１０上の濃縮汚泥Ｃ上に流れ落ちることが防止できる。したがって、脱水効果が損なわれることが無く、また、汚泥とろ布１０，２０の剥離性が低下することも無い。
【００１７】
なお、上述した実施の形態では、水切り部材として長穴９１ａが形成されたパイプ９１を例示するが、種々の長尺部材、例えば、断面矩形あるいは三角形形状の中空部材等を用いることも可能であり、また、その平面視形状は上述したく字状に限らず、逆く字状あるいは走行方向に対して直角な直線状等の種々の形状を選択することが可能である。
【００１８】
【発明の効果】
以上説明したように、この発明にかかるベルトプレス型脱水機のろ布水切り装置によれば、上ろ布を洗浄する洗浄器のろ布走行方向前方側に上ろ布表面と摺接する水切り部材を設け、洗浄器から漏洩して上ろ布上を流れる洗浄水を排水するように構成したため、洗浄器から漏洩する洗浄水が下ろ布上の濃縮汚泥に流れ込むことを防止でき、優れた脱水効率が得られ、また、脱水後の汚泥のろ布からの剥離性の低下も防止できる。
【図面の簡単な説明】
【図１】この発明の一の実施の形態に係るベルトプレス型脱水機のろ布水切り装置を模式的に示す正面図である。
【図２】同ろ布水切り装置の一部を拡大した正面図である。
【図３】同ろ布水切り装置の一部の平面図である。
【図４】従来のベルトプレス型脱水機のろ布水切り装置を模式的に示す正面図である。
【符号の説明】
１０      下ろ布
２０      上ろ布
３０      フレーム
４０      洗浄器
４３      ろ布出口
４３ａ    ゴム板
４５      水切りロール
５０      点検架台
９１      パイプ（水切り部材）
９１ａ    長穴
９９      受け皿
Ｔｌ      走行方向
Ｔｕ      走行方向
Ｗ        濃縮汚泥
【図１】
0003722933.tif 000002
【図２】
0003722933.tif 000003
【図３】
0003722933.tif 000004
【図４】
0003722933.tif 000005